(57)【要約】【課題】ユーザに対する情報提供機会、ひいてはユーザに対する商品等の販売機会についての店舗間又は系列間の公平性を考慮して、店舗情報を管理し得るシステム等を提供する。【解決手段】本発明の店舗情報管理システムによれば、第１処理ユニット１１０が、各店舗の位置情報及び属性情報に基づいて店舗を選定し、選定した店舗を包含する第１エリアＣ１を設定し、第１エリアＣ１にある第１店舗の位置情報を含む「第１店舗情報」を認識する。また、第２処理ユニット１２０が、第１エリアＣ１を基準として第２エリアｃ２を設定し、第２エリアＣ２にある第２店舗の位置情報を含む第２店舗情報を認識する。表示処理ユニット１３０は、情報端末２００との通信により、第１及び第２店舗情報をこの情報端末２００に表示させる。【選択図】  図１
2006268187.tif 000002
【特許請求の範囲】
【請求項１】
情報端末とのネットワーク通信を利用して複数の店舗に関する情報を管理するシステムであって、
各店舗の位置情報及び属性情報を認識し、該各店舗の位置情報及び属性情報に基づいて店舗を選定し、選定した店舗を包含する第１エリアを設定し、第１エリアにある店舗である第１店舗の位置情報を含む第１店舗情報を認識する第１処理手段と、
第１処理手段により設定された第１エリアの第１境界線と、第１エリアに外接する第２境界線とにより挟まれる第２エリアを設定し、第２エリアにある店舗である第２店舗の位置情報を含む第２店舗情報を認識する第２処理手段と、
ユーザの情報端末との通信により、第１処理手段により認識された第１店舗情報と、第２処理手段により認識された第２店舗情報とを該情報端末に表示させる表示処理手段とを備えていることを特徴とする店舗情報管理システム。
【請求項２】
第１処理手段が、各店舗の属性情報としての系列の別に基づき、店舗を各系列から選定し、選定した店舗を包含する第１エリアを設定することを特徴とする請求項１記載の店舗情報管理システム。
【請求項３】
第１処理手段が、基準位置を認識した上で、各店舗の位置情報と、各店舗の属性情報としての系列の別とに基づき、該基準位置に最も近い店舗を各系列から選定し、該基準位置と、選定した店舗とを包含する第１エリアを設定することを特徴とする請求項１記載の店舗情報管理システム。
【請求項４】
第１処理手段が、情報端末との通信により、該情報端末の位置を前記基準位置として認識することを特徴とする請求項３記載の店舗情報管理システム。
【請求項５】
第１処理手段が、第１店舗の属性情報、又は第１店舗の数に基づき、第１エリアの位置及びサイズの一方又は両方を調整することを特徴とする請求項１記載の店舗情報管理システム。
【請求項６】
第１及び第２処理手段が、それぞれ情報量又は種類が相違する第１及び第２店舗情報を認識することを特徴とする請求項１記載の店舗情報管理システム。
【請求項７】
情報量制御手段が、第１店舗の位置情報を示す地図情報が含まれる第１店舗情報を第１処理手段に認識させる一方、第２店舗の位置情報を示す文字情報が含まれる第２店舗情報を第２処理手段に認識させることを特徴とする請求項７記載の店舗情報管理システム。
【請求項８】
第２処理手段により設定された第２エリアの第２境界線と、第２エリアに外接する第３境界線とにより挟まれる第３エリアを設定し、第３エリアにある店舗である第３店舗の位置情報を含む第３店舗情報を認識する第３処理手段を備え、
表示処理手段が、ユーザの情報端末との通信により、第３処理手段により認識された第３店舗情報を該情報端末に表示させることを特徴とする請求項１記載の店舗情報管理システム。
【請求項９】
第２及び第３処理手段が、それぞれ情報量又は種類が相違する第２及び第３店舗情報を認識することを特徴とする請求項８記載の店舗情報管理システム。
【請求項１０】
第２処理手段が、第２店舗の位置情報を示す地図情報が含まれる第２店舗情報を認識する一方、第３処理手段が、第３店舗の位置情報を示す文字情報が含まれる第３店舗情報を認識することを特徴とする請求項９記載の店舗情報管理システム。
【請求項１１】
表示処理手段が、各店舗の属性情報としての系列の別に応じて、店舗情報を識別可能に情報端末に表示させることを特徴とする請求項１記載の店舗情報管理システム。
【請求項１２】
情報端末とのネットワーク通信を利用して複数の店舗に関する情報を管理する機能をコンピュータに付与するプログラムであって、
各店舗の位置情報及び属性情報を認識し、該各店舗の位置情報及び属性情報に基づいて店舗を選定し、選定した店舗を包含する第１エリアを設定し、第１エリアにある店舗である第１店舗の位置情報を含む第１店舗情報を認識する第１処理機能と、
第１処理機能により設定された第１エリアの第１境界線と、第１エリアに外接する第２境界線とにより挟まれる第２エリアを設定し、第２エリアにある店舗である第２店舗の位置情報を含む第２店舗情報を認識する第２処理機能と、
ユーザの情報端末との通信により、第１処理機能により認識された第１店舗情報と、第２処理機能により認識された第２店舗情報とを該情報端末に表示させる表示処理機能とをコンピュータに与えることを特徴とする店舗情報管理プログラム。
【発明の詳細な説明】
【技術分野】
【０００１】
本発明は、情報端末とのネットワーク通信を利用して複数の店舗に関する情報を管理するシステム及び当該管理機能をコンピュータに付与するプログラムに関する。
【背景技術】
【０００２】
従来、パソコンや携帯電話機等の情報端末との通信を利用して、複数系列に属する店舗の位置情報を管理する技術的手法が提案されている（例えば、特許文献１参照）。
【特許文献１】特開 ２００２−２５９３９１号公報
【発明の開示】
【発明が解決しようとする課題】
【０００３】
しかし、店舗間や系列間の公平性を考慮せずに、位置情報等の店舗情報がユーザの情報端末に表示されているのが現状である。このため、例えばユーザの情報端末に表示される地図に位置情報が示されていない店舗に、ユーザに対する情報機会、ひいてはユーザに対する商品等の販売機会について、当該地図に表示されている店舗との間の著しい不公平感を与えるおそれがある。
【０００４】
そこで、本発明は、ユーザに対する情報提供機会、ひいてはユーザに対する商品等の販売機会についての店舗間又は系列間の公平性を考慮して、店舗情報を管理し得るシステム、及び当該管理機能をコンピュータに付与するプログラムを提供することを解決課題とする。
【課題を解決するための手段】
【０００５】
前記課題を解決するための本発明の店舗情報管理システムは、情報端末とのネットワーク通信を利用して複数の店舗に関する情報を管理するシステムであって、各店舗の位置情報及び属性情報を認識し、該各店舗の位置情報及び属性情報に基づいて店舗を選定し、選定した店舗を包含する第１エリアを設定し、第１エリアにある店舗である第１店舗の位置情報を含む第１店舗情報を認識する第１処理手段と、第１処理手段により設定された第１エリアの第１境界線と、第１エリアに外接する第２境界線とにより挟まれる第２エリアを設定し、第２エリアにある店舗である第２店舗の位置情報を含む第２店舗情報を認識する第２処理手段と、ユーザの情報端末との通信により、第１処理手段により認識された第１店舗情報と、第２処理手段により認識された第２店舗情報とを該情報端末に表示させる表示処理手段とを備えていることを特徴とする。
【０００６】
本発明の店舗情報管理システムによれば、第１エリアの第１境界線と、これに外接する第２境界線とにより挟まれる第２エリアにある第２店舗の「第２店舗情報」が、第１エリアの第１店舗の「第１店舗情報」とともにユーザの情報端末に表示される。ここで、第２境界線が第１エリアに「外接」するとは、第２境界線が第１エリアの外部にあって、且つ、第１境界線の一点を通ることを意味する。例えば第２境界線が多角形状の第１エリアの外部にあって、この多角形の一部又は全ての頂点を通る場合や、第１境界線が多角形状の第２エリアの内部にあって、この多角形の一部又は全部の辺に接する場合が該当する。
【０００７】
従って、第１店舗情報のみがユーザの情報端末に表示される場合と比較して、ユーザに対する情報提供機会、ひいてはユーザに対する商品等の販売機会について、第１店舗、特に第１エリアの内側における第１境界線の近傍エリアにある第１店舗と、第２エリア（第１エリアの外側における第１境界線の近傍エリア）にある第２店舗との間の不公平性を低減することができる。
【０００８】
また、本発明の店舗情報管理システムは、第１処理手段が、各店舗の属性情報としての系列の別に基づき、店舗を各系列から選定し、選定した店舗を包含する第１エリアを設定することを特徴とする。
【０００９】
本発明の店舗情報管理システムによれば、ユーザの情報端末に表示される第１店舗情報には、複数系列のそれぞれの店舗の情報が少なくとも１つは含まれることになる。従って、ユーザに対する情報提供機会、ひいてはユーザに対する商品等の販売機会について、系列間の公平性を考慮して店舗情報が管理され得る。
【００１０】
さらに、本発明の店舗情報管理システムは、第１処理手段が、基準位置を認識した上で、各店舗の位置情報と、各店舗の属性情報としての系列の別とに基づき、該基準位置に最も近い店舗を各系列から選定し、該基準位置と、選定した店舗とを包含する第１エリアを設定することを特徴とする。
【００１１】
本発明の店舗情報管理システムによれば、ユーザの情報端末に表示される第１店舗情報には、複数系列のそれぞれの店舗の店舗情報が少なくとも１つは含まれることになる。従って、ユーザに対する情報提供機会、ひいてはユーザに対する商品等の販売機会について、系列間の公平性を考慮して店舗情報が管理され得る。また「基準位置」が包含されるように第１エリアが設定されるので、基準位置が適切に設定されることにより、情報端末に表示される店舗情報の価値を高めることができる。
【００１２】
また、本発明の店舗情報管理システムは、第１処理手段が情報端末との通信により、該情報端末の位置を前記基準位置として認識することを特徴とする。
【００１３】
本発明の店舗情報管理システムによれば、情報端末の位置を基準位置として第１エリアが設定され、第１店舗情報が当該情報端末に表示等される。これにより、情報端末を有するユーザの位置に鑑みて、距離的に便利なエリアの店舗情報がユーザに対して提供され得る。
【００１４】
さらに、本発明の店舗情報管理システムは、第１処理手段が、第１店舗の属性情報、又は第１店舗の数に基づき、第１エリアの位置及びサイズの一方又は両方を調整することを特徴とする。
【００１５】
本発明の店舗情報管理システムによれば、各店舗の属性情報等に基づき、ユーザに対して提供される店舗情報の内容又は情報量が調節され得る。各店舗の「属性情報」には、各店舗における販売商品の種類、数量、サービス内容等が含まれる。
【００１６】
また、本発明の店舗情報管理システムは、第１及び第２処理手段が、それぞれ情報量又は種類が相違する第１及び第２店舗情報を認識することを特徴とする。
【００１７】
本発明の店舗情報管理システムによれば、第１及び第２店舗情報の情報量又は種類が相違させられることで、全ての店舗情報の情報量及び種類がほぼ同一である場合と比較して、店舗情報に関する情報処理量を調節することができる。
【００１８】
さらに、本発明の店舗情報管理システムは、情報量制御手段が、第１店舗の位置情報を示す地図情報が含まれる第１店舗情報を第１処理手段に認識させる一方、第２店舗の位置情報を示す文字情報が含まれる第２店舗情報を第２処理手段に認識させることを特徴とする。
【００１９】
本発明の店舗情報管理システムによれば、第１店舗情報には第１店舗の位置情報を示す地図情報が含まれる一方、第２店舗情報には第２店舗の位置情報を示す文字情報が含まれる。第１エリアに対応する範囲を超えた地図情報を情報端末に表示させ得ない場合、この範囲の外側近傍に対応する第２エリアに含まれる第２店舗の位置情報が文字情報として情報端末に表示され得る。これにより、第１店舗情報のみがユーザの情報端末に表示される場合と比較して、ユーザに対する情報提供機会、ひいてはユーザに対する商品等の販売機会について、第１店舗と第２店舗との間の不公平性を低減することができる。
【００２０】
また、一般に文字情報（テキスト情報）は、地図情報（画像情報）よりも情報量が少ないため、第２店舗の位置情報が地図情報ではなく、文字情報である分だけ、第１及び第２店舗の位置情報が地図情報である場合よりも、店舗情報に関する情報処理量を低減させることができる。
【００２１】
また、本発明の店舗情報管理システムは、第２処理手段により設定された第２エリアの第２境界線と、第２エリアに外接する第３境界線とにより挟まれる第３エリアを設定し、第３エリアにある店舗である第３店舗の位置情報を含む第３店舗情報を認識する第３処理手段を備え、表示処理手段がユーザの情報端末との通信により、第３処理手段により認識された第３店舗情報を該情報端末に表示させることを特徴とする。
【００２２】
本発明の店舗情報管理システムによれば、第２エリアの第２境界線と、これに外接する第３境界線とにより挟まれる第３エリアにある第３店舗の「第３店舗情報」が、第１店舗情報及び第２店舗情報とともにユーザの情報端末に表示される。ここで、第３境界線が第２エリアに「外接」するとは、第３境界線が第２エリアの外部にあって、且つ、第２境界線の一点を通ることを意味する。
【００２３】
従って、第１店舗情報及び第２店舗情報のみがユーザの情報端末に表示される場合と比較して、ユーザに対する情報提供機会、ひいてはユーザに対する商品等の販売機会について、第２店舗と、第３エリア（第２エリアの外側における第２境界線近傍エリア）にある第３店舗との間の不公平性を低減することができる。
【００２４】
さらに、本発明の店舗情報管理システムは、第２及び第３処理手段が、それぞれ情報量又は種類が相違する第２及び第３店舗情報を認識することを特徴とする。
【００２５】
本発明の店舗情報管理システムによれば、第１及び第２店舗情報のうち一方又は両方と、第３店舗情報との情報量又は種類が相違させられることで、全ての店舗情報の情報量及び種類が同一である場合と比較して、店舗情報に関する情報処理量を調節することができる。
【００２６】
また、本発明の店舗情報管理システムは、第２処理手段が、第２店舗の位置情報を示す地図情報が含まれる第２店舗情報を認識する一方、第３処理手段が、第３店舗の位置情報を示す文字情報が含まれる第３店舗情報を認識することを特徴とする。
【００２７】
本発明の店舗情報管理システムによれば、第２店舗情報には第２店舗の位置情報を示す地図情報が含まれる一方、第３店舗情報には第３店舗の位置情報を示す文字情報が含まれる。第２エリアに対応する範囲を超えた地図情報を情報端末に表示させ得ない場合、この範囲の外側近傍に対応する第３エリアに含まれる第３店舗の位置情報が文字情報として情報端末に表示され得る。これにより、第２店舗情報のみがユーザの情報端末に表示される場合と比較して、ユーザに対する情報提供機会、ひいてはユーザに対する商品等の販売機会について、第２店舗と第３店舗との間の不公平性を低減することができる。
【００２８】
さらに、本発明の店舗情報管理システムは、表示処理手段が、各店舗の属性情報としての系列の別に応じて、店舗情報を識別可能に情報端末に表示させることを特徴とする。
【００２９】
本発明の店舗情報管理システムによれば、情報端末を通じて表示される店舗情報のうち、各店舗の系列の別をユーザに容易に識別させることができる。
【００３０】
前記課題を解決するための本発明の店舗情報管理プログラムは、情報端末とのネットワーク通信を利用して複数の店舗に関する情報を管理する機能をコンピュータに付与するプログラムであって、各店舗の位置情報及び属性情報を認識し、該各店舗の位置情報及び属性情報に基づいて店舗を選定し、選定した店舗を包含する第１エリアを設定し、第１エリアにある店舗である第１店舗の位置情報を含む第１店舗情報を認識する第１処理機能と、第１処理機能により設定された第１エリアの第１境界線と、第１エリアに外接する第２境界線とにより挟まれる第２エリアを設定し、第２エリアにある店舗である第２店舗の位置情報を含む第２店舗情報を認識する第２処理機能と、ユーザの情報端末との通信により、第１処理機能により認識された第１店舗情報と、第２処理機能により認識された第２店舗情報とを該情報端末に表示させる表示処理機能とをコンピュータに与えることを特徴とする。
【００３１】
本発明の店舗情報管理プログラムによれば、ユーザに対する情報提供機会、ひいてはユーザに対する商品等の販売機会についての店舗間の公平性を考慮して店舗情報を管理し得る機能をコンピュータに付与することができる。
【発明を実施するための最良の形態】
【００３２】
本発明の店舗情報管理システム及び店舗情報管理プログラムの実施形態について図面を用いて説明する。
【００３３】
図１は本発明の一実施形態における店舗情報管理システムの構成説明図であり、図２は本発明の一実施形態における店舗情報管理システムの機能説明図であり、図３は第１処理の説明図であり、図４は第２処理の説明図であり、図５は第３処理の説明図であり、図６は店舗情報の説明図である。
【００３４】
本発明の店舗情報管理システムの構成について図１を用いて説明する。
【００３５】
図１に示されている店舗情報管理システムは、ハードウェアとしてのホスト・コンピュータ１００と、ホスト・コンピュータ１００に後述の機能を付与するソフトウェアとしての本発明の「店舗情報管理プログラム」とにより構成されている。ホスト・コンピュータ１００は、ユーザの情報端末２００とのインターネット等のネットワークを介した通信機能を有する。情報端末２００には、携帯電話機、ＰＤＡ、パソコン等、通信機能や画像表示機能を有するあらゆるものが含まれる。
【００３６】
店舗情報管理システムは、第１処理ユニット１１０と、第２処理ユニット１２０と、第３処理ユニット１３０と、表示処理ユニット１４０とを備えている。各ユニットは、ＣＰＵ、ＲＯＭ、ＲＡＭ、その他種々の電子回路により構成されている。
【００３７】
第１処理ユニット１１０は「第１処理」を実行する。第１処理には、各店舗の「位置情報」及び「属性情報」の認識処理と、当該認識情報に基づく店舗の選定処理、選定店舗を包含する「第１エリア」の設定処理と、第１エリアにある店舗の「第１店舗」としての認識処理と、第１店舗の位置情報を含む「第１店舗情報」の認識処理とが含まれる。
【００３８】
第２処理ユニット１２０は「第２処理」を実行する。第２処理には、第１エリアを基準とする「第２エリア」の設定処理と、第２エリアにある店舗の「第２店舗」としての認識処理と、第２店舗の位置情報を含む「第２店舗情報」の認識処理とが含まれる。
【００３９】
第３処理ユニット１３０は「第３処理」を実行する。第３処理には、第２エリアを基準とする「第３エリア」の設定処理と、第３エリアにある店舗の「第３店舗」としての認識処理と、第３店舗の位置情報を含む「第３店舗情報」の認識処理とが含まれる。
【００４０】
表示処理ユニット１４０は、ユーザの情報端末２００との通信により、第１、第２及び第３店舗情報を当該情報端末２００に表示させる。また、表示処理ユニット１４０は、店舗の属性情報である系列の相違が識別されるように、店舗情報を情報端末２００に表示させる。
【００４１】
前記構成の店舗情報管理システムの機能、及び当該機能によりユーザに対して提供される店舗情報について図２〜図６を用いて説明する。以下、主要な情報通信についてのみ説明するが、ネットワーク通信上のプロトコル等に応じて、説明しないデータ等が通信されてもよい。
【００４２】
まず、情報端末２００が、パスワードの入力等、ユーザにより初期操作されたことに応じて（Ｓ２０２）、「位置情報」をホスト・コンピュータ１００に送信する（矢印Ａ１）。「位置情報」は、初期操作に際してユーザにより情報端末２００に入力された郵便番号、都道府県や市町村等の行政区分、番地、及び情報端末２００により測定された情報端末２００の位置のうち少なくともいずれかを特定するものである。
【００４３】
このとき、第１処理ユニット１１０が「第１処理」を実行する（Ｓ１１０）。
【００４４】
具体的には、第１処理ユニット１１０が当該位置情報に基づいて「基準位置」を認識する。第１処理ユニット１１０等、本願発明の構成要素が情報を「認識する」とは、当該構成要素がシステム内外の記憶装置や、データベースから情報を読み取ることや、当該読み取り情報に基づき所定のアルゴリズムに従って情報を導出すること等が含まれる。基準位置には、位置情報により特定される郵便番号等に対応して予め定められている都道府県庁の位置、主要駅等の交通機関の位置、位置情報により特定される情報端末２００の位置等が含まれる。
【００４５】
また、第１処理ユニット１１０が、各店舗の「位置情報」及び「属性情報」を認識する（Ｓ１１２）。「属性情報」には、各店舗の取扱商品やサービスの相違に応じた３つの系列Ｘ，Ｙ及びＺの別や、電話番号、ＦＡＸ番号、電子メールアドレス等の連絡先等が含まれている。
【００４６】
さらに、第１処理ユニット１１０が各店舗の「位置情報」及び「属性情報」に基づいて店舗を選定する（Ｓ１１３）。具体的には、系列Ｘ，Ｙ及びＺのそれぞれに属する店舗のうち、図３（ａ）に示されているように基準位置Ｏからの距離が最短である店舗ｘ１、ｙ１及びｚ１が選定される（系列Ｘ，Ｙ及びＺのそれぞれに属する店舗を「○」「□」「△」で表す。以下同じ。）。
【００４７】
また、第１処理ユニット１１０が選定店舗を包含する「第１エリア」を設定する（Ｓ１１４）。具体的には、図３（ｂ）に示されているように基準位置Ｏを中心とし、選定店舗ｘ１、ｙ１及びｚ１を包含する円形状の第１エリアＣ１が設定される。なお、第１エリアＣ１は、円形状のほか、楕円形状、多角形状等、種々の形状であってもよい。
【００４８】
さらに、第１処理ユニット１１０が、図３（ｃ）に示されているように第１エリアＣ１にある店舗ｘ１、ｙ１〜ｙ３、ｚ１及びｚ２の「第１店舗情報」を認識する（Ｓ１１５）。第１店舗情報には、第１店舗の位置が掲載された地図情報が含まれている。
【００４９】
次に第２処理ユニット１２０が「第２処理」を実行する（Ｓ１２０）。
【００５０】
具体的には、第２処理ユニット１２０が、第１処理ユニット１１０により設定された第１エリアＣ１を基準とする「第２エリア」を設定する（Ｓ１２１）。具体的には、図４（ａ）に示されているように、円形状の第１エリアＣ１の境界線Ｌ１と、第１エリアＣ１に外接する正方形をなす第２境界線Ｌ２とにより囲まれたエリアが第２エリアＣ２として設定される。なお、第２境界線Ｌ２は正方形のほか、円形、楕円形、長方形等、あらゆる閉曲線であってもよい。
【００５１】
また、第２処理ユニット１２０が、図４（ｂ）に示されているように第２エリアＣ２にある店舗ｘ２、ｘ３、ｙ４及びｚ３の「第２店舗情報」を認識する（Ｓ１２２）。第２店舗情報には、第２店舗の位置が掲載された地図情報が含まれている。
【００５２】
続いて、第３処理ユニット１３０が「第３処理」を実行する（Ｓ１３０）。
【００５３】
具体的には、第３処理ユニット１３０が、第２処理ユニット１２０により設定された第２エリアＣ２を基準とする「第３エリア」を設定する（Ｓ１３１）。具体的には、図５（ａ）に示されているように、第２エリアＣ２の正方形をなす境界線Ｌ２と、第２エリアＣ２に外接する円をなす第３境界線Ｌ３とにより囲まれたエリアが第３エリアＣ３として設定される。なお、第３境界線Ｌ３は円形のほか、楕円形、多角形等、あらゆる閉曲線であってもよい。
【００５４】
また、第３処理ユニット１３０が、図５（ｂ）に示されているように第３エリアＣ３にある店舗ｘ４、ｚ４及びｚ５の「第３店舗情報」を認識する（Ｓ１３２）。第３店舗情報には、第３店舗の位置を示す文字情報が含まれている。
【００５５】
そして、表示処理ユニット１４０が「情報表示処理」を実行する（Ｓ１４０）。具体的には、表示処理ユニット１４０が、第１、第２及び第３店舗情報を情報端末２００に送信し（矢印Ａ２）、これら第１、第２及び第３店舗情報を当該情報端末２００に表示させる（Ｓ２０４）。
【００５６】
これにより、情報端末２００には、図６（ａ）に示されるように、第１エリアＣ１及び第２エリアＣ２に対応する範囲の地図上に、第１店舗（ｘ１，ｙ１，ｙ２，ｙ３，ｚ１，ｚ２）及び第２店舗（ｘ２，ｘ３，ｙ４，ｚ３）の所在地が掲載された地図情報が表示される。また、情報端末２００には、図６（ｂ）に示されているように、第１及び第２店舗の所在地、系列の別、連絡先等が含まれる第１及び第２店舗情報のほか、第３店舗（ｘ４，ｚ４，ｚ５）の所在地、系列の別、連絡先等が含まれる第３店舗情報が文字情報として表示される。情報端末２００に表示される店舗情報には、各店舗の取扱商品の種類、数量、過去の商取引履歴に鑑みた商取引上の信頼度等が含まれ得る。
【００５７】
前記機能を発揮する店舗情報管理システムによれば、第２エリアＣ２にある第２店舗（ｘ２，ｘ３，ｙ４，ｚ３）の所在地が、第１エリアＣ１にある第１店舗（ｘ１，ｙ１，ｙ２，ｙ３，ｚ１，ｚ２）の所在地とともに掲載された地図情報が情報端末２００に表示される（図６（ａ）参照）。系列Ｘの店舗（図中○）は赤、系列Ｙの店舗（図中□）は青、系列Ｚの店舗（図中△）は緑と、系列の別が色彩により識別可能に表示される。また、第２及び第３店舗情報が、第１店舗情報とともに文字情報として情報端末２００に表示される（図６（ｂ）参照）。
【００５８】
従って、第１店舗情報のみが情報端末２００に表示される場合と比較して、ユーザに対する情報提供機会、ひいてはユーザに対する商品等の販売機会について、第１店舗、特に第１エリアＣ１の内側における第１境界線Ｌ１の近傍エリアにある第１店舗（ｙ２，ｙ３，ｚ２）と、第２エリアＣ２（第１エリアＣ１の外側における第１境界線Ｌ１の近傍エリア）にある第２店舗（ｘ２，ｘ３，ｙ４，ｚ３）との間の不公平性を低減することができる。また、同様に、第１及び第２店舗情報のみが情報端末２００に表示される場合と比較して、ユーザに対する情報提供機会、ひいてはユーザに対する商品等の販売機会について、第２店舗（ｘ２，ｘ３，ｙ４，ｚ３）と、第３エリアＣ３（第２エリアＣ２の外側における第２境界線Ｌ２の近傍エリア）にある第３店舗（ｘ４，ｚ４，ｚ５）との間の不公平性を低減することができる。
【００５９】
さらに、第１処理ユニット１１０により、店舗（ｘ１，ｙ１，ｚ１）が各系列Ｘ，Ｙ，Ｚから選定され（図３（ａ）参照）、選定店舗を包含する第１エリアＡ１が設定されるので（図３（ｂ）参照）、情報端末２００に表示される第１店舗情報には、複数系列Ｘ，Ｙ及びＺのそれぞれの店舗の情報が少なくとも１つは含まれることになる。従って、ユーザに対する情報提供機会、ひいてはユーザに対する商品等の販売機会について、系列間の公平性を考慮して店舗情報が管理され得る。
【００６０】
また、第１及び第２店舗情報は地図情報（図６（ａ）参照）及び文字情報（図６（ｂ）参照）を含むのに対して、第３店舗情報は文字情報（図６（ｂ）参照）を含んでおり、第１及び第２店舗情報と、第３店舗情報との種類が相違している。一般に文字情報（テキスト情報）は、地図情報（画像情報）よりも情報量が少ない。このため、第１、第２及び第３店舗情報が全て地図情報を含む場合と比較して、店舗情報に関する情報処理量を低減させることができる。
【００６１】
さらに、情報端末２００の位置を基準位置とした場合、当該情報端末２００を有するユーザの位置に鑑みて、距離的に便利なエリアの店舗情報がユーザに対して提供され得る。
【００６２】
なお、第１処理ユニット１１０が、第１店舗の属性情報又は第１店舗の数に基づき、第１エリアＣ１の位置及びサイズの一方又は両方を調整してもよい。第１エリアＣ１の位置は基準位置Ｏ（図３（ａ）参照）により特定され得る。例えば、第１エリアＣ１に含まれる店舗数が過多である場合、第１エリアＣ１が縮小される一方、第１エリアＣ１に含まれる店舗数が過少である場合、第１エリアＣ１が拡大されてもよい。この場合、各店舗の属性情報等に基づき、ユーザに対して提供される店舗情報の内容又は情報量が調節され得る。
【００６３】
前記実施形態では、第１及び第２店舗情報にはともに地図情報及び文字情報が含まれ、その情報の種類が同一であったが、他の実施形態として、第１店舗情報には地図情報及び文字情報の両方が含まれる一方、第２店舗情報には地図情報及び文字情報のうち一方が含まれる等、第１及び第２店舗情報の情報量又は種類が相違させられてもよい。
【００６４】
当該他の実施形態によれば、第１及び第２店舗情報の両方に地図情報及び文字情報の両方が含まれる場合と比較して、店舗情報に関する情報処理量を低減させる又は調節することができる。
【図面の簡単な説明】
【００６５】
【図１】本発明の一実施形態における店舗情報管理システムの構成説明図
【図２】本発明の一実施形態における店舗情報管理システムの機能説明図
【図３】第１処理の説明図
【図４】第２処理の説明図
【図５】第３処理の説明図
【図６】店舗情報の説明図
【符号の説明】
【００６６】
１００‥ホスト・コンピュータ（店舗情報管理システム）、１１０‥第１処理ユニット、１２０‥第２処理ユニット、１３０‥第３処理ユニット、１４０‥表示処理ユニット、２００・・情報端末
【図１】
2006268187.tif 000003
【図２】
2006268187.tif 000004
【図３】
2006268187.tif 000005
【図４】
2006268187.tif 000006
【図５】
2006268187.tif 000007
【図６】
2006268187.tif 000008